(57)【要約】【課題】スイングの練習において、ヘッドの正確なスイングの軌跡を習得することができると同時に、スイング時に可撓紐間を面として捕らえることができ、フェース面が正確な角度になる状態のスイング技術の習得が可能になるゴルフのスイング練習具を提供する。【解決手段】後端側にグリップ２を有するシャフト３の先端側に、所定の長さを有する可撓紐５を介して重り部材６を取り付けたスイング練習具１であり、シャフト３の先端に重り部材６の直径と略同径の外径を有するヘッド部材４を該シャフト３と同軸心状に固定し、上記可撓紐５は、重り部材６の球心部分を挟む両側とヘッド部材４の軸心を挟む両側で二条が並列状態になるよう、ヘッド部材４に対して重り部材６を取り付けている。【選択図】  図１
2004305625.tif 000002
【特許請求の範囲】
【請求項１】
後端側にグリップを有するシャフトの先端側に、所定の長さを有する可撓紐を介して重り部材を取り付け、上記可撓紐がシャフトの先端側と重り部材の間で二条が並列状態になっているゴルフのスイング練習具。
【請求項２】
上記シャフトの先端側に、上記重り部材の直径もしくは長さと略同径の外径もしくは長さを有するヘッド部材をシャフトに固定し、上記可撓紐は、重り部材の両側とヘッド部材の両側で二条が並列状態になるよう、ヘッド部材に対して重り部材を取り付けている請求項１に記載のゴルフのスイング練習具。
【発明の詳細な説明】
【０００１】
【発明の属する技術分野】
この発明は、ゴルフの正確なスイング技術を習得するのに適したスイング練習具に関する。
【０００２】
【従来の技術】
ゴルフのスコアメイクにおける重要な要素の一つとして、打球の飛距離と方向性を挙げることができ、この飛距離と方向性の向上には正確なスイングが要求されることになる。
【０００３】
ゴルフにおけるスイング技術の向上は、練習の積み重ねが基本であり、このため、場所を取らずにいつでも手軽にスイングの練習を行うことができるスイング練習具が既に提案されている。
【０００４】
従来のスイング練習具は、後端側にグリップを有するシャフトの先端側に、所定の長さを有する一本の可撓紐を介して球状の重り部材を取り付けた構造になっており、シャフトのグリップを握ってスイングすると、シャフトの先端に可撓紐を介して取り付けた重り部材が、遠心力でシャフトの延長線状態で弧を描くことになり、重り部材の軌跡を目で捕らえることでスイングの状態を把握することができ、また、バックスイング時のトップにおいては、シャフトに対する重り部材の揺動の状態でトップの姿勢の良否が確認できる（特許文献１参照）。
【０００５】
【特許文献１】
特開２００３−１０３７５号公報（図１、図２）
【０００６】
【発明が解決しようとする課題】
ところで、上記した従来のスイング練習具は、シャフトの先端側に所定の長さを有する一本の可撓紐を介して重り部材を取り付けた構造になっているため、重り部材と可撓紐は、スイング方向に対して面としての方向性がなく、クラブヘッドのフェース面が正確な角度になるようなスイングの確認ができないという問題がある。
【０００７】
即ち、スイングの練習において、ヘッドの正確なスイングの軌跡を習得することと同時に、スイング時におけるフェース面の所定角度の保持が重要な要素であるが、スイング時に重り部材や可撓紐を面として捕らえることができないと、グリップの状態に捩じれがあるか否かの判断ができず、スイング時にフェース面が正確な角度になる状態の技術の習得が行えないことになる。
【０００８】
そこで、この発明の課題は、スイングの練習において、ヘッドの正確なスイングの軌跡を習得することができると同時に、スイング時に可撓紐を面として捕らえることができ、フェース面が正確な角度になる状態の技術の習得が可能になるゴルフのスイング練習具を提供することにある。
【０００９】
【課題を解決するための手段】
上記のような課題を解決するため、この発明は、後端側にグリップを有するシャフトの先端側に、所定の長さを有する可撓紐を介して重り部材を取り付け、上記可撓紐がシャフトの先端側と重り部材の間で二条が並列状態になっている構成を採用したものである。
【００１０】
上記シャフトの先端側に、上記重り部材の直径もしくは長さと略同径の外径もしくは長さを有するヘッド部材をシャフトに固定し、上記可撓紐は、重り部材の両側とヘッド部材の両側で二条が並列状態になるよう、ヘッド部材に対して重り部材を取り付けている構造とすることができる。
【００１１】
ここで、重り部材は、ゴム等を用いた内部の芯材を外装材で覆った球形や円軸状に形成され、ヘッド部材は、シャフトに外嵌固定する小径部の先端側に重り部材と略同径の円筒状ケースを連成し、このケースの開口を螺着したキャップで閉鎖した構造や、シャフトに外嵌固定する取付け筒の先端に紐通し筒を直角に設けたＴ字形に形成され、上記可撓紐は、重り部材に対して球芯や軸心を通過するよう貫通させ、その両側をヘッド部材の円筒状ケースや紐通し筒に、両側外部の位置から内部に挿入し、両端の結び目を円筒状ケースや紐通し筒内に収納することにより輪状に形成され、これによって、可撓紐の重り部材とヘッド部材の間が、二条の並列状態になっている。
【００１２】
上記可撓紐の二条が並列する部分は、シャフトのグリップを正確に握った状態で、上下に位置する配置に設定され、上下の並列する可撓紐間となり、スイング時に上下の可撓紐を目で捕らえることで、フェース面が正確な角度になる状態のスイング技術の習得が可能になる。
【００１３】
【発明の実施の形態】
以下、この発明の実施の形態を図示例と共に説明する。
【００１４】
図１（Ａ）と（Ｂ）に示す第１の実施の形態のスイング練習具１は、ブランコ打法や振り子打法の習得に適した例であり、後端側にグリップ２を有する短いシャフト３と、このシャフト３の先端に固定したヘッド部材４と、ヘッド部材４に可撓紐５を用いて取り付けた重り部材６とからなり、上記重り部材６は、ゴム等を用いた内部の芯材７を適宜材料の外装材８で覆い、必要な重量を有する球形に形成されている。
【００１５】
上記ヘッド部材４は、シャフト３に外嵌固定する小径部９の先端側に、重り部材６と略同径の外径に形成された円筒状ケース１０を連成し、このケース１０の開口を螺着したキャップ１１で開閉自在に閉鎖した構造を有し、ケース１０は筒状中芯１２の外面を硬質のゴムや樹脂の外装部材１３で覆って形成され、この円筒状ケース１０の内部空間に必要な量のウエイトを収納することができるようになっている。
【００１６】
上記可撓紐５は、重り部材６に対して球芯を通過するよう貫通させ、その両側端部をヘッド部材４の円筒状ケース１０の先端部に、この円筒状ケース１０の軸心を挟む両側外部の位置から内部に挿入し、両端を円筒状ケース１０内で結ぶことにより輪状に形成され、これによって、可撓紐５の重り部材６とヘッド部材４の間が、図１（Ｂ）に示すように二条の並列状態になっている。
【００１７】
ちなみに、重り部材６の球径と円筒状ケース１０の外径は、６ｃｍ程度に設定し、可撓紐５の二条の並列部分は、重り部材６と円筒状ケース１０への取り付け部分の間が１１ｃｍ程度の長さに設定されている。
【００１８】
なお、ヘッド部材４の円筒状ケース１０は、スイング方向の前面に該当する部分を平坦面に形成したり、スイング方向に対する上面にマークを施して上下を確認できるようにしてもよく、この場合、円筒状ケース１０に対する可撓紐５の二条の並列部分は、円筒状ケース１０の上下に位置するような配置に設定されている。
【００１９】
図２（Ａ）と（Ｂ）に示す第２の実施の形態のスイング練習具１ａは、ハンマー打法や振り子打法の習得に適した例であり、上記第１の実施の形態と同一部分には同一符号を付して説明する。
【００２０】
この第２の実施の形態のスイング練習具１ａは、後端側にグリップ２を有する長いシャフト３と、このシャフト３の先端に固定したヘッド部材４と、ヘッド部材４に可撓紐５を用いて取り付けた重り部材６とからなり、上記重り部材６は、ゴム等の適宜材料を用いた必要な重量を有する円軸形に形成され、その軸心に沿って紐通し孔が設けられている。
【００２１】
上記ヘッド部材４は、シャフト３に外嵌固定する取付け筒１４の先端に紐通し筒１５を直角に設けたＴ字形に形成され、重り部材６と紐通し筒１５は略同一長さに設定され、ヘッド部材４の紐通し孔と紐通し筒１５に挿通した可撓紐５の両端を結んで、結び目を紐通し筒１５内に収納している。
【００２２】
なお、上記第２の実施の形態において、重り部材６は第１の実施の形態と同様の球状のものを用いるようにしてもよい。
【００２３】
この発明のスイング練習具１、１ａは、上記のような構成であり、シャフト３のグリップ２を握って可撓紐５の二条の並列部分が上下に位置するよう構え、バックスイングからダウンスイング、ホローへの一連のスイング運動を行う。
【００２４】
バックスイングからトップの位置までは、シャフト３の先端に可撓紐５を介して取り付けた重り部材６が、遠心力でシャフト３の延長線状態で弧を描くことになり、トップの位置でシャフト３を止めると重り部材６は遠心力で後方に回動し、オーバースイングであると重り部材６はシャフト３に沿うような状態になるので、オーバースイングの矯正が行えることになる。
【００２５】
上記トップの位置からダウンスイングに移行すると、重り部材６は遠心力で再びシャフト３の延長線状態で弧を描くことになり、重り部材６の軌跡を目視することにより、ヘッドに振れのない正しいダウンスイングを習得でき、また、インパクト位置において可撓紐５の重り部材６と円筒状ケース１０又は紐通し筒１５の間を目で確認する。
【００２６】
上記可撓紐５の重り部材６と円筒状ケース１０又は紐通し筒１５の間は、上下に二条が並列しているので、インパクト位置において、上下の可撓紐５の間を面として捕らえることができ、上下の可撓紐５が略重なって見えたときは、フェースが正面を向いたスイングとなり、腕に捩じれがなく正確なグリップ状態であることが確認できる。
【００２７】
また、上下の可撓紐５の内、上の可撓紐５が先に見えたらフェースが下向きで、上の可撓紐５が後に見えたらフェースが上向きであることが判断でき、従って、上下の可撓紐５が重なって見えるようにスイングを練習すれば、腕に捩じれがなく正確なグリップ状態でのスイング技術を習得することができ、球状の重り部材６を用いた第１の実施の形態においては、ブランコ打法や振り子打法のスイング練習が行え、また、第２の実施の形態のように、円軸状の重り部材６を用いたものは、ハンマー打法や振り子打法の練習が効果的に行えることになる。
【００２８】
【発明の効果】
以上のように、この発明によると、後端側にグリップを有するシャフトの先端側に重り部材を取り付ける可撓紐を、シャフトの先端側と重り部材の間で二条を並列状態にしたので、ダウンスイング時に上下に二条が並列している可撓紐間を面として捕らえることができ、この面の垂直度合いを可撓紐の上下並列状態の目視によって確認することができ、スイング時のフェースの向きを知ることにより、腕に捩じれがなく正確なグリップ状態でのスイング技術を効率よく習得することができる。
【図面の簡単な説明】
【図１】（Ａ）はこの発明に係るスイング練習具の第１の実施の形態を示す平面図、（Ｂ）は同一部切り欠き側面図
【図２】（Ａ）はこの発明に係るスイング練習具の第２の実施の形態を示す平面図、（Ｂ）は同側面図
【符号の説明】
１    スイング練習具
１ａ  スイング練習具
２    グリップ
３    シャフト
４    ヘッド部材
５    可撓紐
６    重り部材
７    芯材
８    外装材
９    小径部
１０  円筒状ケース
１１  キャップ
１２  筒状中芯
１３  外装部材
１４  取付け筒
１５  紐通し筒
【図１】
2004305625.tif 000003
【図２】
2004305625.tif 000004